(57)【要約】      （修正有）【課題】保水性に優れた木材チップと養分性に優れたバ−ク材を基盤材とし、植物の生育を促成することができる法面緑化用固形基盤材を提供する。【解決手段】法面緑化用固形基盤床は木材チップ２を半バ−ク化したものとバ−ク材１を混ぜて基盤とし、これに真砂土３、黒土４、赤土５、石炭灰６、炭粉７、肥料９、ベントナイト８、接着材１０等を入れて混ぜ合わせ、プレス機Ｎで圧縮成形し乾燥させてなる法面緑化用固形基盤床１Ａを実現する。【選択図】図１
2006009497.tif 000002
【特許請求の範囲】
【請求項１】
木材チップを堆肥化させたバ−ク材を基盤材とし、これに木材チップ、真砂土、黒土、赤土、石炭灰、炭粉、肥料、ベントナイト、接着材を入れて攪拌機により混ぜ合わせた後、金型に入れてプレス機で圧縮成形し乾燥させてなるバ−ク材を基盤とする法面緑化用固形基盤床。
【請求項２】
木材チップを基盤材としこれに木材チップを堆肥化させたバ−ク材、真砂土、赤土、石炭灰、炭粉、肥料、ベントナイト、接着材を入れて攪拌機により混ぜ合わせた後、金型に入れてプレス機で圧縮成形し乾燥させてなる木材チップを基盤材とする法面緑化用固形基盤床。
【請求項３】
プレス機金型に木材チップを基盤材としこれに木材チップを堆肥化させたバ−ク材、真砂土、赤土、石炭灰、炭粉、肥料、ベントナイト、接着材を入れて攪拌機により混ぜ合わせた混合材を入れて下層部を形成し、更にこの上に木材チップを堆肥化させたバ−ク材を基盤材に木材チップ、真砂土、黒土、赤土、石炭灰、炭粉、肥料、ベントナイト、接着材を入れて攪拌機により混ぜ合わせた混合材を入れて上層部を形成した後プレス機で圧縮成形し乾燥させてなる二層一体形法面緑化用固形基盤床、
【発明の詳細な説明】
【技術分野】
【０００１】
本発明は、道路や宅地・造成地の路肩や崖等の法面緑化に使用する、バ−ク材及び木材チップを使用しこれに真砂土、黒土，接着材等を混ぜ合わせて圧縮成形し乾燥させてなる法面緑化用固形基盤床に関する。
【背景技術】
【０００２】
上記法面緑化用固形基盤床に近い発明としては、例えば特許文献１に示されるように、ピ−トモスを基盤とした培養土を圧縮成形し鉢植え育苗用として使用するものや、特許文献２に示されるジュ−トやココヤシ繊維又はカスを素材としたものがあり主に育苗マット又は家庭菜園植栽用ブロックとして提案されている。
【特許文献１】特許公開２０００−１１６２３３公報
【特許文献２】特許公開２００２−３０５９５９号公報
【発明の開示】
【発明が解決しようとする課題】
【０００３】
特許文献１に示す培養土はピ−トモスを主材料とし、これに粘土、ベントナイト、炭粉等を混ぜて圧縮成形し培養土としたものや、ココヤシ繊維又は繊維カスを基盤材に使用しているものがあるが、これ等は主として家庭菜園用固形培養土又は育苗用固形培養土としての利用されている。しかし道路や宅地・造成地の路肩や崖等などに存在する広範囲な法面を緑化するための材料としては安く大量に存在し、しかも養分性と保水性に優れた材料が必要である。
【０００４】
本発明が前述の状況に鑑み解決しようとするところは、国内において安く大量に調達できる木材チップを堆肥化させたバ−ク材や木材チップなどの自然素材を使用して養分性と保水性に優れた緑化基盤材で、植物の生育を促成することができるバ−ク材又は木材チップを基盤材とする緑化用固形基盤床を提供することにある。
【課題を解決するための手段】
【０００５】
本発明は、前述の課題解決のために、第一に自然の素材である木材チップを堆肥化させたバ−ク材を基盤材とし、これに半バ−ク化した木材チップ、真砂土、黒土、赤土、石炭灰、炭粉、肥料、ベントナイト、接着材を入れて攪拌機により混ぜ合わせた後、金型にいれてプレス機で圧縮成形し乾燥させてなる養分性を重視したバ−ク材を基盤材とする法面緑化用固形基盤床。
【０００６】
第二に、半バ−ク化した木材チップを基盤材とし、これに木材チップを堆肥化させたバ−ク材、真砂土、赤土、石炭灰、炭粉、肥料、ベントナイト、接着材を入れて攪拌機で混ぜ合わせた後、金型に入れてプレス機で圧縮成形し乾燥させてなる保水性を重視した木材チップを基盤材とする法面緑化用固形基盤床。
【０００７】
第三に、プレス金型の下層に半バ−ク化した木材チップを基盤材とし、これに木材チップを堆肥化させた木材チップ、真砂土、赤土、石炭灰、炭粉、肥料、ベントナイト、接着材を入れて攪拌機で混ぜ合わせた混合材を入れ、この上に木材チップを堆肥化させたバ−ク材を基盤材に半バ−ク化した木材チップ、真砂土、黒土、赤土、石炭灰、炭粉、肥料、ベントナイト、接着材を入れて攪拌機により混ぜ合わせた混合材を重ねて上層としこれをプレス機にて一体形に圧縮成形した木材チップ及びバ−ク材を基盤材とする法面緑化用固形基盤床。
【発明の効果】
【０００８】
請求項１によれば、木材チップを堆肥化させた肥沃なバ−ク材を４３％程度使用して基盤材とし、これに半バ−ク化した木材チップを２５％程度、真砂土、黒土、赤土、炭粉、石炭灰を２０％程度、肥料を１％程度、ベントナイト、接着材を１０％程度入れて植物の生育に必要な養分性を向上させた緑化用固形基盤床で、これを地山法面の場合は法面に竹串又はラス金網とアンカ−で固定しながら敷詰めて緑化基盤を形成する。法枠法面の場合はそのまま法枠内に順次敷詰めれば緑化基盤が形成される。緑化については固形基盤床表面に市販の植生シ−トを張り付けるか、種子吹付け機にて種子を吹き付ければ、以後の種子から発芽・育成を良好にして簡単に法面を緑化できる。
【０００９】
請求項２の発明によれば、半バ−ク化した木材チップを４３％程度使用して基盤材とし、これにバ−ク材を２５％程度、真砂土、赤土、石炭灰、炭粉を２０％程度、肥料を１％程度、ベントナイト、接着材を１０％程度入れ植物の生育に必要な水分保持を重視した緑化用固形基盤床で、地山と遮断されたモルタル吹き付け法面等を緑化する場合に、請求項１の緑化用固形基盤床の下にこの基盤床を敷詰めて使用すれば保水性が強化され夏場の渇水期でも植物の生存率を向上させることができる。
【００１０】
請求項３によれば、保水層と養分層からなる二層一体構造の固形緑化基盤床で、水分が不足する地山やモルタル吹き付けにより地山と遮断された法面を緑化する場合に使用する法面緑化用固形基盤床である。層の下半分は保水性を持たせるために半バ−ク化した木材チップを４３％程度使用して基盤材としこれにバ−ク材を２５％程度、真砂土、赤土，石炭灰を２０％程度、肥料を１％程度、ベントナイト、接着材を１０％程度入れて下層基盤とし、層の上半分は養分性を持たせるためバ−ク材を４３％程度使用して基盤材とし、これに半バ−ク化した木材チップを２５％程度、真砂土、黒土、赤土、石炭灰、炭粉を２０％程度、肥料を１％程度、ベントナイト、接着材を１０％程度入れて上層基盤とした二層一体構造の緑化用固形基盤床である。地山と遮断されたコンクリ−ト法面を緑化する場合は法面にラス金網とアンカ−で固定しながら敷詰めれば良い。法枠法面の場合は法枠内に順次敷詰めれば緑化基盤床が形成される。緑化植物については固形基盤床の表面に植生シ−トを張り付けるか種子吹き付け機で種子を吹き付ければ、以後の種子からの発芽・育成を良好にして簡単に緑化できる。
【発明を実施するための最良の形態】
【００１１】
図１に木材チップを堆肥化させたバ−ク材を主な基盤材となした法面緑化用固形基盤床１Ａを示している。バ−ク材１を４３％程度使用して基盤材としこれに半バ−ク化した木材チップ２を２５％程度、真砂土３、黒土４、赤土５、石炭灰６、炭粉７を２０％程度、肥料９を１％、ベントナイト８、接着材１０を１０％程度入れて攪拌機Ｊでよく混ぜ合わせた後、金型Ｋに入れてプレス機Ｎで圧縮成形した後、金型Ｋから取り出し乾燥させるとバ−ク材と木材チップとの絡みと接着剤の接合力と相まって結合力に優れ養分性と保水性を重視してなるバ−ク材を基盤材とする法面緑化用固形基盤床土１Ａである。
【００１２】
図２に半バ−ク化した木材チップを主な基盤材となした法面緑化用固形基盤床１Ｂを示している。保水性を持たせるため半バ−ク化した木材チップ１を４３％程度使用して基盤材としこれにバ−ク材２を２５％程度、真砂土３、赤土５ 、石炭灰６を２０％程度、肥料９を１％程度、ベントナイト８、接着材１０を１０％程度入れて攪拌機Ｊでよく混ぜ合わせた後、金型Ｋに入れてプレス機Ｎで圧縮成形した後、金型Ｋから取り出し乾燥させ保水性を重視してなる木材チップを主な基盤材とする法面緑化用固形基盤床１Ｂである。
【００１３】
図３に固形基盤床の上層と下層で半バ−ク化した木材チップとバ−ク材の配合割合を変えた二重構造の一体形法面緑化用固形基盤床１Ｃを示している。層の下半分は保水性を持たせるため、半バ−ク化した木材チップ１を４３％使用して基盤材とし、これにバ−ク材２を２５％程度、真砂土３、赤土５、石炭灰６を２０％程度、肥料９を１％程度、ベントナイト８、接着材１０を１０％程度入れて攪拌機Ｊでよく混ぜ合わせた後、金型Ｋに入れ下層とし、次に層の上半分は養分性を持たせるため、バ−ク材１を４３％程度使用して基盤材としこれに半バ−ク化した木材チップ２を２５％程度、真砂土３、黒土４、赤土５、石炭灰６、炭粉７を２０％程度、肥料９を１％程度、ベントナイト８、接着材１０を１０％程度入れて攪拌機Ｊで良く混ぜ合わせ同じ金型Ｋの上層に詰めた後これをプレス機Ｎで圧縮成形した後金型Ｋから取り出し乾燥させ保水性と養分性に優れてなる二層一体形法面緑化用固形基盤床１Ｃである。
【実施例１】
【００１４】
従って例えば図４に示すように、地山法面において法枠が無い法面を緑化する場合は緑化用固形基盤床１Ａを竹串１３又はラス金網１１とアンカ−１２で固定しながら順次敷詰めて緑化基盤を構成する。法枠がある法面の場合は、法枠が固形基盤床の固定になるため法枠内に固形基盤床を順次敷詰めれば緑化基盤が構成できる。全体に敷詰めた後この固形基盤床の表面に市販の植生シ−トを張り付けるか種子吹き付け機にて種子を吹き付ければ、以後の種子からの発芽・育成を良好にして簡単に緑化できる。
【００１５】
又図５に示すように、地山と遮断されたモルタル吹き付け法面等を緑化する場合は水分の供給が不可欠であるため、保水性の良い緑化用固形基盤床１Ｂをラス金網１１とアンカ−１２で固定しながら敷詰めた後、１Ｂの上に緑化用固形基盤床１Ａを重ねて敷詰めて下部に保水基盤床、上部に植生基盤床の二重層による緑化基盤を形成する。又法枠がある場合も同様にして１Ｂを敷詰めた後１Ｂの上に１Ａを順次敷詰めて緑化基盤を構成する。又緑化基盤が１０ｃｍ以上必要な場合は、二層一体形緑化用固形基盤床１Ｃを１Ａ１Ｂの替わりに使用すれば作業が更に簡単となる。敷詰めが完了したら固形基盤床の表面に市販の植生シ−トを張り付けるか種子吹き付け機にて種子を吹き付ければ、以後の種子からの発芽・育成を良好にして簡単に緑化できる。
【産業上の利用可能性】
【００１６】
現在法面を緑化するには混合機や基盤材吹き付け装置を現場に搬入し、混合機でバ−ク材、砂、肥料、バインダ−等を混ぜ合わせ、これを圧縮空気とともに法面に吹き付けて緑化基盤を構成するが、この作業を行うには装置の操作や吹き付け作業に熟練と経験が求められることや装置が搬入できない場所や吹き付け面積が４００平方メートル以下の少規模の場所での装置を使用した基盤材吹き付け作業はコスト高となり条件が悪かった。そこでこの法面緑化用固形基盤床を使用すれば吹き付け装置を搬入する必要が無く、法面に敷詰めるだけで緑化基盤を構成することができるため工事費低減への寄与が可能となる。
【図面の簡単な説明】
【００１７】
【図１】バ−ク材を基盤材とし木材チップ、竹チップ、黒土等を入れた例
【図２】木材チップを基盤材としバ−ク材、竹チップ、赤土等を入れた例
【図３】請求項１と請求項２を一体化させた二層構造の例
【図４】法枠の無い地山法面、法枠のある地山法面の施工例
【図５】モルタル吹付け、コンクリ−トブロック、法枠内コンクリ−ト法面の施工例
【符号の説明】
【００１８】
１    バ−ク材（材料；木材チップ）
２    木材チップ
３    真砂土
４    黒土
５    赤土
６    石炭灰
７    炭粉
８    ベントナイト
９    肥料
１０  接着材
１１  ラス金網
１２  アンカ−
１３  竹串
１Ａ  法面緑化用固形基盤床（バ−ク材が主な基盤床）
１Ｂ  法面緑化用固形基盤床（木材チップが主な基盤床）
１Ｃ  法面緑化用固形基盤床（１Ａと１Ｂ重ねた二層構造の基盤床）
Ｊ    攪拌機
Ｋ    金型
Ｎ    プレス機
【図１】
2006009497.tif 000003
【図２】
2006009497.tif 000004
【図３】
2006009497.tif 000005
【図４】
2006009497.tif 000006
【図５】
2006009497.tif 000007